(57)【要約】【課題】機密性の高い画像を表示する場合には自動的に視野角を狭くして情報漏えいを防止することのできる表示装置を実現する。【解決手段】本発明の携帯電話機（表示装置）１は、コンテンツを表示可能な視野角可変型の情報端末装置であって、視野角決定情報が関連付けられたコンテンツを表示する画像表示部３１（表示手段）と、上記視野角決定情報に基づいて、該コンテンツが表示されるときにおける画像表示部３１の視野角を制御するための視野角制御データを作成する視野角制御識別信号作成部２５（視野角制御手段）と、上記視野角制御データに基づいて上記表示手段の視野角を変更する視野角変更部３２（視野角制御手段）と、を備えている。【選択図】図１
2008052058.tif 000002
【特許請求の範囲】
【請求項１】
コンテンツを表示する視野角可変型の表示装置であって、
視野角決定情報が関連付けられたコンテンツを表示する表示手段と、
上記視野角決定情報に基づいて、該コンテンツが表示されるときにおける上記表示手段の視野角を制御する視野角制御手段とを備えていることを特徴とする表示装置。
【請求項２】
上記コンテンツおよび該コンテンツに関連付けられた視野角決定情報を受信する受信手段をさらに備えていることを特徴とする請求項１に記載の表示装置。
【請求項３】
上記コンテンツは、ウェブコンテンツであり、
上記視野角決定情報は、上記ウェブコンテンツのテキストファイルに付加された、該ウェブコンテンツが表示されるときの視野角を決定する情報であることを特徴とする請求項１に記載の表示装置。
【請求項４】
上記コンテンツは、ウェブコンテンツであり、
上記視野角決定情報は、上記ウェブコンテンツが暗号化されているか否かを表す情報であり、
上記視野角制御手段は、上記視野角決定情報に基づき、上記ウェブコンテンツが暗号化されている場合に、暗号化されていない場合に比べて上記表示手段の視野角をより狭くすることを特徴とする請求項１に記載の表示装置。
【請求項５】
上記コンテンツは、動画コンテンツであり、
上記視野角決定情報は、上記動画コンテンツに付加された、該動画コンテンツが表示されるときの視野角を決定する情報であることを特徴とする請求項１に記載の表示装置。
【請求項６】
上記視野角制御手段は、さらに、上記コンテンツを表示するために使用されるアプリケーションソフトごとに決められた第２の視野角決定情報に基づいて、上記表示手段の視野角を制御することを特徴とする請求項１に記載の表示装置。
【請求項７】
上記コンテンツおよび該コンテンツに関連付けられた視野角決定情報を送信する送信手段と、
請求項２に記載の表示装置とを含んで構成される通信システム。
【請求項８】
視野角可変型の表示装置に備えられた、コンテンツを表示する表示手段における視野角制御方法であって、
コンテンツに関連付けられた視野角決定情報に基づいて、該コンテンツが表示されるときにおける上記表示手段の視野角を規定した視野角制御信号を作成するステップと、
上記視野角制御信号に基づいて、上記コンテンツが表示されるときにおける上記表示手段の視野角を制御するステップとを含んでいることを特徴とする視野角制御方法。
【請求項９】
請求項１から６の何れか１項に記載の表示装置に備えられた表示手段の視野角制御プログラムであって、
コンピュータを、上記視野角制御手段として機能させるための視野角制御プログラム。
【請求項１０】
請求項９に記載の視野角制御プログラムが記録されたコンピュータ読取可能な記録媒体。
【請求項１１】
視野角可変型の表示装置における表示を制御する表示コントローラであって、
視野角決定情報が関連付けられたコンテンツの表示を制御する画像表示制御部と、
上記視野角決定情報に基づいて、該コンテンツが表示されるときの表示画像の視野角を制御する視野角制御部とを備えることを特徴とする表示コントローラ。
【請求項１２】
請求項１１に記載の表示コントローラを備えた制御回路。
【請求項１３】
請求項１１に記載の表示コントローラまたは請求項１２に記載の制御回路を備えた表示装置。
【発明の詳細な説明】
【技術分野】
【０００１】
本発明は、本発明は、表示部の視野角を制御することの可能な表示装置、表示装置を含む通信システム、表示装置の視野角制御方法、視野角制御プログラム、および該プログラムを記録した記録媒体に関するものである。
【背景技術】
【０００２】
従来から、携帯電話機、ＰＤＡ（Personal Digital Assistant）などの携帯型情報端末装置のディスプレイとして液晶ディスプレイ（ＬＣＤ）が広く利用されている。ＬＣＤは、ＣＲＴ（Cathode Ray Tube）、プラズマディスプレイなどに比べて、視野角が狭いことが欠点とされてきたが、近時のＬＣＤ技術の進歩により、視野角の広角化が進められている。
【０００３】
しかしながら、上記携帯型情報端末装置は、電車やバスの車内などにおいて混雑した状況で利用すると、上記携帯型情報端末装置の表示画面に表示された内容が周囲の人に覗き見される虞がある。特に、電子メールの作成および閲覧を行う場合には、その内容が周囲の人に覗き見されることはプライバシー上好ましくない。
【０００４】
この問題に対応して、視野角を制御できるＬＣＤが提案されている（例えば、特許文献１〜４参照）。このようなＬＣＤでは、通常の広視野角モードと、視野角の狭い狭視野角モードとの何れか一方から他方に切替え可能となっている。なお、狭視野角モードとは、ユーザのいる表示画面真正面からは通常どおりの表示画像が視認でき、斜め方向からは無地画像または別の画像が見えるモードである。
【０００５】
例えば、特許文献１に記載の視野角可変素子は、一対の基板の間の液晶層中の液晶分子が、基板に対して垂直方向に配向することで狭視野角となり、平行方向に配向することで広視野角となっている。また、特許文献２に記載の携帯端末装置は、２枚のガラス板の間の液晶の配向を変更することにより、情報表示手段の視野角を変更している。
【０００６】
さらに、表示装置をいくつかの区画に分け、それぞれの区画で液晶配向方向等を異ならせることで、狭視野角モードにおいて、正面以外の方向から表示画面を見た場合に、表示画面に表示されたものとは異なる別の画像を視認できるようにする構成のものもある。例えば、特許文献３には、液晶層を挟む配向膜が複数の領域に区画され、隣接する前記領域の配向方向が異なる液晶表示装置が記載されている。また、特許文献４には、視角方向が異なる第１の液晶セルと第２の液晶セルとを交互に配する液晶表示装置が記載されている。
【０００７】
さらに、特許文献２に記載の携帯端末装置は、実行中のアプリケーションの種類に応じて視野角を制御している。これにより、使用状況に応じて自動的に視野角を変更することができ、ユーザが視野角をいちいち決定する煩わしさを回避できる。また、特許文献５には、画像表示モードであるか否かに応じて液晶表示画面の視野角を調整することのできる携帯端末が開示されている。特許文献６には、機器自体が有する機能に応じて表示装置の視野角を変化させる携帯電話機が開示されている。特許文献７には、デバイスの使用状況に基づいて視野角を制御する技術が開示されている。
【特許文献１】特開平９−１０５９５８（公開日：１９９７年４月２２日）
【特許文献２】特開２００４−６２０９４（公開日：２００４年２月２６日）
【特許文献３】特開２００１−２６４７６８（公開日：２００１年９月２６日）
【特許文献４】特開２００４−３８０３５（公開日：２００４年２月５日）
【特許文献５】特開２００４−２３３５２７（公開日：２００４年８月１９日）
【特許文献６】特開２００５−２６０８５８（公開日：２００５年９月２２日）
【特許文献７】ＷＯ２００６／０２５３２６Ａ１（公開日：２００６年３月９日）
【発明の開示】
【発明が解決しようとする課題】
【０００８】
昨今、携帯型の情報端末装置における通信技術の発達により、公共の場で携帯電話機などを使用し、インターネットを介して各ホームページ（いわゆる、ウェブページ）を見ることが容易にできるようになっている。そのため、公共の場で機密性の高い、例えば、インターネットバンキングの情報を見る機会も増え、情報漏えいリスクが高まっている。そこで、上述のような表示装置の視野角制御を行い、機密を保持すべき情報を見る際には狭視野角モードに設定することで、他人に情報を覗き見されることを防止することができる。
【０００９】
しかしながら、現状の視野角制御型の表示装置は、上記各特許文献に開示されているように、ユーザ自身が設定を行うことで視野角を狭くしたり、あるいは、機器自体の機能などに応じて視野角を制御したりするものであり、表示される画像内容（コンテンツ）自体の機密保持の必要性に応じて視野角を変更することはできない。そのため、同じアプリケーションを使用して表示されるウェブコンテンツのうちの一部のコンテンツに機密を保持する必要性の高い情報が含まれている場合に、その画像表示モードが常に広視野角モードに設定される可能性があり、情報が他人に覗き見されてしまう危険がある。
【００１０】
本発明は、上記の問題点に鑑みてなされたものであり、表示されるコンテンツに応じて自動的に視野角を変更でき、情報漏えい防止に貢献できる表示装置を提供することを目的とする。
【課題を解決するための手段】
【００１１】
本発明にかかる表示装置は、上記の課題を解決するために、コンテンツを表示する視野角可変型の表示装置であって、視野角決定情報が関連付けられたコンテンツを表示する表示手段と、上記視野角決定情報に基づいて、該コンテンツが表示されるときにおける上記表示手段の視野角を制御する視野角制御手段とを備えていることを特徴とする。
【００１２】
本発明の表示装置は、コンテンツを表示する視野角可変型の表示装置である。ここで、視野角可変型の表示装置とは、表示画面における視野角が所定の角度以上である広視野角表示モードと、表示画面における視野角が所定の角度未満である狭視野角表示モードとの少なくとも２種類の表示モードを切り替えて表示することが可能な表示装置のことをいう。
【００１３】
本発明の表示装置によれば、コンテンツに関連付けられた視野角決定情報に基づいて、該コンテンツが表示されるときに表示手段の視野角を予め規定された目的とする状態に変更することにより、自動で視野角を制御することができる。つまり、ユーザの手を煩わせることなく表示される画像の内容に応じた視野角の制御を行うことができる。また、ユーザが手動で狭視野角に設定し忘れた場合にも、予め送信元において狭視野角に変更する視野角決定情報をコンテンツに付加しておくことで、機密を保持するべき画像情報を表示させる場合には、自動的に狭視野角モードに設定することもできる。そのため、情報漏えい防止に貢献できる。
【００１４】
なお、従来にも自動で視野角を変更するという技術は存在する（例えば、特許文献２、７参照）が、アプリケーションあるいは使用デバイスに応じた視野角の変更であるため、表示される画像の内容（コンテンツ）に応じた視野角の制御はできない。これに対して、本発明の表示装置は、表示されるコンテンツに応じて視野角の変更を行うことができるため、よりきめ細かな視野角制御を行うことができる。
【００１５】
ここで、コンテンツとは、表示手段に表示される文字および画像など内容のことであり、例えば、ウェブコンテンツ、動画コンテンツ（ストリームデータ）などのことを意味する。本明細書では、コンテンツのことを画像情報とも呼ぶ。また、コンテンツに関連付けられた視野角決定情報とは、該コンテンツが表示されるときの視野角を決定するための情報である。
【００１６】
本発明の表示装置は、上記コンテンツおよび該コンテンツに関連付けられた視野角決定情報を受信する受信手段をさらに備えていることが好ましい。
【００１７】
上記の構成によれば、表示装置が受信手段を備えていることによって、コンテンツおよび該コンテンツに関連付けられた視野角決定情報を装置の外部から受信することができる。
【００１８】
本発明の表示装置において、上記コンテンツは、ウェブコンテンツであり、上記視野角決定情報は、上記ウェブコンテンツのテキストファイルに付加された、該ウェブコンテンツが表示されるときの視野角を決定する情報であることが好ましい。
【００１９】
上記の構成によれば、受信されたウェブコンテンツに付加された視野角制御信号に基づいて、自動で視野角を制御することができる。これにより、機密を保持するべき画像情報の場合には予めプロバイダなどから送信されるウェブコンテンツに狭視野角とする視野角制御信号を付加しておくことで、ユーザが手動で狭視野角に設定し忘れた場合にも、自動的に狭視野角モードに設定することもできるため、情報の漏えいを防止することができる。
【００２０】
なお、本発明においては、受信したウェブコンテンツを一旦端末装置内の記憶部に格納した後、表示手段に表示させてもよい。
【００２１】
本発明の表示装置において、上記コンテンツは、ウェブコンテンツであり、上記視野角決定情報は、上記ウェブコンテンツが暗号化されているか否かを表す情報であり、上記視野角制御手段は、上記視野角決定情報に基づき、上記ウェブコンテンツが暗号化されている場合に、暗号化されていない場合に比べて上記表示手段の視野角をより狭くすることが好ましい。
【００２２】
上記の構成によれば、表示装置が受信したウェブコンテンツのうち暗号化されているものを表示内容の機密を保持する必要がある画像情報であると判断し、暗号化されていない場合に比べて、視野角を自動的に狭くすることができる。これにより、機密を保持すべき必要性の高い、暗号化されたウェブコンテンツに関して、自動的に狭視野角モードなどで画像を表示させることができ、情報の漏えいを防止することができる。なお、この場合、上記視野角決定情報は、ウェブコンテンツが暗号化されているか否かに関する情報である。
【００２３】
本発明の表示装置において、上記コンテンツは、動画コンテンツであり、上記視野角決定情報は、上記動画コンテンツに付加された、該動画コンテンツが表示されるときの視野角を決定する情報であることが好ましい。
【００２４】
上記の構成によれば、受信された動画コンテンツに付加された視野角制御信号に基づいて、自動で視野角を制御することができる。
【００２５】
なお、上記動画コンテンツとしては、例えば、地上波デジタル放送などによって送信されるテレビの映像、ＣＡＴＶ、衛星放送などによって配信される映画などが挙げられる。
【００２６】
本発明の表示装置において、上記視野角制御手段は、さらに、上記コンテンツを表示するために使用されるアプリケーションソフトごとに決められた第２の視野角決定情報に基づいて、上記表示手段の視野角を制御することが好ましい。
【００２７】
上記の構成によれば、コンテンツに関連付けられた視野角決定情報に基づいて自動的に視野角の変更を行うことができるとともに、アプリケーションソフトごとに決められた第２の視野角決定情報に基づいて自動的に視野角の変更を行うことができる。
【００２８】
また、本発明にかかる通信システムは、上記コンテンツおよび該コンテンツに関連付けられた視野角決定情報を送信する送信手段と、上記の表示装置とを含んで構成されるものである。
【００２９】
本発明の通信システムによれば、例えば、情報漏えいを防止すべき画像情報には、送信手段が表示画像を狭視野角とする視野角決定情報を関連付けて送信し、上記表示装置がその画像情報を受信することによって、当該表示装置で表示される画像を狭視野角とすることができる。これにより、情報漏えいの危険性を低下させた通信システムを実現できる。
【００３０】
また、本発明にかかる視野角制御方法は、上記の課題を解決するために、視野角可変型の表示装置に備えられた、コンテンツを表示する表示手段における視野角制御方法であって、コンテンツに関連付けられた視野角決定情報に基づいて、該コンテンツが表示されるときにおける上記表示手段の視野角を規定した視野角制御信号を作成するステップと、上記視野角制御信号に基づいて、上記コンテンツが表示されるときにおける上記表示手段の視野角を制御するステップとを含んでいることを特徴とする。
【００３１】
本発明の視野角制御方法によれば、コンテンツに関連付けられた視野角決定情報に基づいて、該コンテンツが表示されるときに表示手段の視野角を規定した状態に変更するための視野角制御識別信号を作成し、自動で視野角を制御することができる。つまり、ユーザの手を煩わせることなく表示される画像に応じた視野角の制御を行うことができる。また、ユーザが手動で狭視野角に設定し忘れた場合にも、予め送信元において狭視野角に変更する視野角決定情報をコンテンツに付加しておくことで、機密を保持するべき画像情報を表示させる場合には、自動的に狭視野角モードに設定することもできる。そのため、情報漏えい防止に貢献できる。
【００３２】
なお、従来にも自動で視野角を変更するという技術は存在する（例えば、特許文献２、７参照）が、アプリケーションあるいは使用デバイスに応じた視野角の変更であるため、表示される画像の内容（コンテンツ）に応じた視野角の制御はできない。これに対して、本発明の視野角制御方法は、表示されるコンテンツに応じて視野角の変更を行うことができるため、よりきめ細かな視野角制御を行うことができる。
【００３３】
ここで、コンテンツとは、表示手段に表示される文字および画像など内容のことであり、例えば、ウェブコンテンツ、動画コンテンツ（ストリームデータ）などのことを意味する。本明細書では、コンテンツのことを画像情報とも呼ぶ。また、コンテンツに関連付けられた視野角決定情報とは、該コンテンツが表示されるときの視野角を決定するための情報である。
【００３４】
なお、上記表示装置における視野角の制御は、コンピュータによって実現してもよく、この場合には、コンピュータを上記視野角制御手段として動作させることにより上記表示装置をコンピュータにて実現させる視野角制御プログラムを記録したコンピュータ読取り可能な記録媒体も、本発明の範疇に入る。
【００３５】
すなわち、本発明にかかる視野角制御プログラムは、上述の何れかの構成からなる表示装置における視野角の制御機能をコンピュータで実現するためのものである。また、本発明にかかる記録媒体は、上記視野角制御プログラムを記録したコンピュータ読取り可能な記録媒体である。
【００３６】
本発明にかかる表示コントローラは、上記の課題を解決するために、視野角可変型の表示装置における表示を制御する表示コントローラであって、視野角決定情報が関連付けられたコンテンツの表示を制御する画像表示制御部と、上記視野角決定情報に基づいて、該コンテンツが表示されるときの表示画像の視野角を制御する視野角制御部とを備えることを特徴としている。
【００３７】
本発明の表示コントローラは、視野角可変型の表示装置において表示の制御を行うものである。ここで、表示コントローラとは、画像処理機能を有した演算処理装置のことを意味し、例えば、グラフィックＬＳＩなどとして実現される。
【００３８】
本発明の表示コントローラによれば、画像表示制御部がコンテンツの表示を制御するとともに、視野角制御部が上記コンテンツに関連付けられた視野角決定情報に基づいて、該コンテンツが表示されるときの表示画像の視野角を制御することによって、表示されるコンテンツに応じて自動で視野角を制御することができる。つまり、ユーザの手を煩わせることなく表示される画像の内容に応じた視野角の制御を行うことができる。これにより、機密を保持するべき画像情報を表示させる場合に、ユーザが手動で狭視野角に設定することなく自動的に狭視野角モードに設定することもできるため、情報漏えい防止に貢献できる。
【００３９】
なお、表示画像の視野角とは、視野角可変型の表示装置の表示部における視野角のことである。
【００４０】
また、本発明の制御回路は、上記の表示コントローラを備えているものである。本発明の制御回路は、例えば、ＣＰＵ、ＭＰＵ、ＤＳＰなどとして実現される。
【００４１】
さらに、本発明の表示装置は、上記の表示コントローラまたは上記の制御回路を備えているものであってもよい。
【発明の効果】
【００４２】
本発明の表示装置は、以上のように、コンテンツを表示する視野角可変型の表示装置であって、視野角決定情報が関連付けられたコンテンツを表示する表示手段と、上記視野角決定情報に基づいて、該コンテンツが表示されるときにおける上記表示手段の視野角を制御する視野角制御手段とを備えている。
【００４３】
したがって、本発明の表示装置によれば、コンテンツに関連付けられた視野角決定情報に基づいて、該コンテンツが表示されるときに表示手段の視野角を目的とする状態に変更することにより、自動で視野角を制御することができる。つまり、ユーザの手を煩わせることなく表示される画像の内容に応じた視野角の制御を行うことができる。また、ユーザが手動で狭視野角に設定し忘れた場合にも、予め送信元において狭視野角に変更する視野角決定情報をコンテンツに付加しておくことで、機密を保持するべき画像情報を表示させる場合には、自動的に狭視野角モードに設定することもできる。そのため、情報漏えい防止に貢献できるという効果を奏する。
【発明を実施するための最良の形態】
【００４４】
〔実施の形態１〕
本発明の一実施形態について図１ないし図７に基づいて説明すると以下の通りである。
【００４５】
図２は、本発明の一実施形態である携帯電話機（表示装置）１の外観を示している。本実施形態の携帯電話機１は、いわゆるクラムシェル型であり、同図に開いた状態を示している。同図（ａ）は、携帯電話機１を閉じたときに内側となる部分であり、携帯電話機１を開いたときにユーザが主に利用する側である。そこで、本願では同図（ａ）に示される側を前面側とする。また、同図（ｂ）は、携帯電話機１を閉じたときに外側となる部分であり、携帯電話機１を開いたときに同図（ａ）の側と反対側となる。そこで、本願では同図（ｂ）に示される側を背面側とする。
【００４６】
図２に示すように、携帯電話機１は、本体２と、蓋体３とからなり、本体２と蓋体３とはヒンジ状に連結している。蓋体３には、前面側にメイン画面４が設けられ、背面側にサブ画面５が設けられている。なお、同図には示していないが、蓋体３内にはアンテナが設けられている。
【００４７】
本体２には、前面側にメイン操作ボタン群６が設けられている。メイン操作ボタン群６は、携帯電話機１における各種設定や機能切り替えを行うための機能ボタン群７と、数字や文字などの記号を入力するための入力ボタン群８とから構成されている。具体的には、機能ボタン群７は、携帯電話の電源のＯＮ／ＯＦＦを切り替える電源ボタン、マナーモード設定のＯＮ／ＯＦＦを行うマナーモードボタン、撮影モードを起動させるカメラボタン、メールモードを起動させるメールボタン、インターネットに接続するための接続ボタン、選択対象を上下左右方向に移動させるための十字ボタン、該十字ボタンの中央に配置されており種々の選択を決定する決定ボタンなどを含んでいる。また、入力ボタン群８は、テンキーである。なお、本体２の背面側には、カメラ９が設けられている。
【００４８】
本実施形態の携帯電話機１は、メイン画面４の視野角を制御して、広視野角モードおよび狭視野角モードの何れか一方から他方に切り替える機能を有する。この視野角モードの切り替えは、ユーザが所定の操作ボタンを操作することにより実行できる。なお、視野角を変更する構造としては、種々のものが知られており、例えば上記特許文献１・３・４に記載されているので、その説明を省略する。
【００４９】
また、本実施形態では、携帯電話機１がインターネットを介して受信したコンテンツ（画像情報）の内容に基づいて、自動的に視野角モードの切替えを行うことができる。この視野角制御の詳細については後述する。
【００５０】
さらに、本実施形態の携帯電話機１は、図２に示されるように、視野角の状態を示す視野角情報６０をメイン画面４に表示している。これにより、ユーザは、受信したコンテンツに対応して視野角の状態が自動的に変化しても、メイン画面４を正面から見るのみで視野角の状態を容易に判断することができる。なお、図示の例では、視野角情報６０は、メイン画面４の上端中央部に表示しているが、その他、表示画面４の任意の位置に表示することができる。また、図示の例では、視野角情報６０は文字列で表現しているが、アイコンなどの図形で表現することもできる。
【００５１】
携帯電話機１において、例えば、受信したコンテンツがインターネットバンキングのページ；ネット証券のページ(特に株売買画面)；電子決済時のクレジットカード番号入力ページ；プレゼントまたはサンプル申し込み時の個人情報（住所、電話番号）入力ページのようなウェブコンテンツである場合には、表示内容の機密を保持する必要がある（以下、機密性が高いという）ため、狭視野角モードに自動的に設定される。一方、例えば、受信したコンテンツが検索サイト；一般企業のホームページ；ニュース、天気、交通情報等の情報配信ページ；通信販売の商品カタログページのようなウェブコンテンツである場合には、表示内容の機密を保持する必要は低い（以下、機密性が低いという）ため、広視野角モードに自動的に設定される。
【００５２】
図３は、機密性の低い画像を表示することにより、メイン画面４が自動的に広視野角モードとなった場合において、メイン画面４の正面方向にいる人Ｐｆが見る画像と、メイン画面４の斜め方向にいる人Ｐｌ、Ｐｒが見る画像とを示している。また、図４は、機密性の高い画像を表示することにより、メイン画面４が自動的に狭視野角モードとなった場合において、メイン画面４の正面方向にいる人Ｐｆが見る画像と、メイン画面４の斜め方向にいる人Ｐｌ、Ｐｒが見る画像とを示している。
【００５３】
図３に示されるように、広視野角モードでは、メイン画面４を真正面から見た場合も（正面方位）、正面よりメイン画面４に向かって右側となる斜め前から見た場合も（右側面方位）、正面よりメイン画面４に向かって左側となる斜め前から見た場合も（左側面方位）、メイン画面４の画像が視認される。このとき、メイン画面４には、広視野角であることを示す視野角情報６０ｗが表示される。
【００５４】
一方、図４に示されるように、狭視野角モードでは、正面方位ではメイン画面４の画像が視認されるが、右側面方位あるいは左側面方位からは、黒い表示または別の画像が視認されるのみであり、メイン画面４の画像が視認されない。このとき、メイン画面４には、狭視野角であることを示す視野角情報６０ｎが表示される。
【００５５】
次に、携帯電話機１の詳細な構成について図１、図５に基づいて説明する。図５は、携帯電話機１の全体構成を示すブロック図である。図１は、携帯電話機１の視野角の制御に関連する部分の構成を示すブロック図である。
【００５６】
図５に示すように、携帯電話機１は、制御部１１、メイン表示部（表示手段）１２、着信報知部１３、操作部１４、記憶部１５、アプリケーションソフト格納部１６、アンテナ部７０（受信手段）、無線処理部７１（受信手段）、音声処理部７２、音声入力部７３、音声出力部７４、データ処理部７５、サブ表示部７６、撮影部７８、電源部７７を備える構成である。
【００５７】
アンテナ部７０は、電波を外部に送り出すとともに外部から電波を受け取るためのものである。具体的には、アンテナ部７０は、８００ＭＨｚ帯または１．５ＧＨｚ帯の携帯電話機用電波を送受するためのものである。
【００５８】
無線処理部７１は、音声処理部７２またはデータ処理部７５から受信したデータを無線送信に適した形式に変換し、変換した無線信号をアンテナ部７０を介して外部に送信するものである。また、無線処理部７１は、外部からアンテナ部７０を介して受信した無線信号を元の形式に変換し、変換したデータを音声処理部７２またはデータ処理部７５に送信するものである。具体的には、無線処理部７１では、チャネルコーデック処理、ベースバンド信号処理、データの変復調処理、ＲＦ（Radio Frequency）処理などが行われる。
【００５９】
音声処理部７２は、音声入力部７３からの音声信号を所定の音声データに変換して無線処理部７１に送信するとともに、無線処理部７１からの音声データを音声信号に変換して音声出力部７４に送信するものである。具体的には、音声処理部７２は、Ａ／Ｄ変換器、Ｄ／Ａ変換器、アンプ、音声コーデック回路を備える構成である。
【００６０】
音声入力部７３は、外部から入力された音波を、電気信号である音声信号に変換して音声処理部７２に送信するものである。具体的には、音声入力部７３はマイクロホンを備える構成である。
【００６１】
音声出力部７４は、音声処理部７２からの音声信号を音波に変換して外部に出力するものである。具体的には、音声出力部７４は、スピーカ、イヤホン、音声出力用コネクタなどを備える構成である。通常、携帯電話機１では、通話を行う場合にはイヤホンが利用され、着信の報知を行う場合にはスピーカが利用される。また、音楽を聴く場合には、周囲の人々に配慮して、音声出力用コネクタにヘッドホンが接続される。
【００６２】
なお、電話機の場合、音声入力部７３に入力するユーザの音声が音声出力部７４から聞こえることが望ましい。このため、音声処理部７２は、音声入力部７３からの音声信号を所定の音量レベルに調整した後、音声出力部７４に送信することが望ましい。
【００６３】
データ処理部７５は、制御部１１からのデータを所定形式のデータに符号化して無線処理部７１に送信するとともに、無線処理部７１からのデータを復号化して制御部１１に送信するものである。データ処理部７５で行われるデータの符号化／復号化（コーデック）方式の例としては、ＭＰＥＧ（Moving Picture Experts Group）−４、およびＩＴＵ−Ｔ勧告Ｈ．２６３が挙げられる。
【００６４】
操作部１４は、携帯電話機１の表面に設けられたメイン操作ボタン群６などの入力デバイスをユーザが操作することにより、操作データを作成して制御部１１に送信するものである。入力デバイスとしては、ボタンスイッチの他にタッチパネルなどが挙げられる。また、操作部１４は、所定の操作ボタンをユーザが操作することにより、視野角の変更を指示する操作データを作成し、制御部１１に送信する。
【００６５】
記憶部１５は、各種データおよびプログラムを記憶するものである。記憶部１５の例としては、制御部１１が動作する際に必要なプログラム、通信制御データ等の固定データを記憶する読出し専用の半導体メモリであるＲＯＭ（Read Only Memory）と、バーコード認識や通信に関するデータ、演算に使用するデータ及び演算結果等を一時的に記憶するいわゆるワーキングメモリとしてのＲＡＭ（Random Access Memory）とが挙げられる。
【００６６】
メイン表示部１２およびサブ表示部７６は、制御部１１からコンテンツを受信し、受信したコンテンツに基づいて画像を表示するものである。具体的には、メイン表示部１２およびサブ表示部７６は、ＰＤＰ（Plasma Display Panel）、ＬＣＤ、ＥＬ（Electroluminescence）ディスプレイなどの表示素子と、受信したコンテンツに基づいて表示素子を駆動するドライバ回路とを備える構成である。
【００６７】
本実施形態では、メイン表示部１２は、制御部１１から視野角制御データ（視野角制御識別信号）を受信し、受信した視野角制御データに基づいて視野角を変更する機能を有するものである。なお、サブ表示部７６が視野角を変更する機能を有しても良い。
【００６８】
撮影部７８は、被写体の撮影を行って映像データを生成するものである。具体的には、撮影部７８は、被写体からの光を電気信号に変換するＣＣＤ（Charge Coupled Device）、ＣＭＯＳ（Complementary Metal-oxide Semiconductor）などの撮像素子と、撮像素子からの電気信号をＲＧＢ各色のデジタル映像データに変換する映像処理回路とを備える構成が挙げられる。撮影部７８は、生成した映像データを制御部１１に送信する。
【００６９】
電源部７７は、携帯電話機１内の各種構成に適当な電力を供給するものである。電源部７７は、例えば、リチウムイオン電池などの充電可能な２次電池、電源回路などによって構成される。
【００７０】
着信報知部１３は、携帯電話機１に着信があった場合に、音または振動によって着信があったことを報知するものである。
【００７１】
アプリケーションソフト格納部１６は、メールソフト、ゲームソフト、基本ソフト、ワープロソフトなど、携帯電話機１において実行される種々のアプリケーションのソフトを格納している。
【００７２】
制御部１１は、携帯電話機１内の各種構成を統括的に制御するものである。制御部１１の機能は、例えばＲＡＭやフラッシュメモリなどの記憶装置に記憶されたプログラムをＣＰＵ（Central Processing Unit）が実行することによって実現される。このようなＣＰＵ（制御回路）についても本発明の範疇に含まれる。制御部１１をＣＰＵなどで実現する場合、コンテンツの表示を制御する画像表示制御部２２と、視野角決定情報に基づいて、該コンテンツが表示されるときの表示画像の視野角を制御する視野角制御部２３とは、画像処理機能を有するグラフィックＬＳＩ（表示コントローラ）として実現することができる。
【００７３】
図１は、携帯電話機１内の上記構成のうち、コンテンツに基づいて視野角を制御する動作に関わる構成の詳細を示している。また、図１では、携帯電話機１と、プロバイダサーバー６１（送信手段）とから構成される本発明の通信システムの一例も示している。なお、本発明にかかる携帯電話機１は、従来の携帯電話機における視野角制御と同様に、ユーザが操作部１４から視野角変更ボタンなどを押すことによって手動で視野角の変更を行うこともできる。ユーザが手動で行う場合の視野角制御の動作は、従来の方法と同様であるので説明を省略する。
【００７４】
図１に示すように、携帯電話機１は、視野角を制御する動作に関わる構成として、制御部１１、メイン表示部１２、記憶部１５、外部情報受信部１８（受信手段）を備えている。なお、図１に示す外部情報受信部１８は、図５に示すアンテナ部７０と無線処理部７１とからなる携帯電話機１の通信手段のうち、受信手段として機能する部分に該当する。
【００７５】
メイン表示部１２は、上述のように、制御部１１から視野角制御データを受信し、受信した視野角制御データに基づいて視野角を変更する機能を有している。メイン表示部１２の内部には、制御部１１内の視野角制御部２３（視野角制御手段）から受信した視野角制御データに基づいて表示画像の視野角を変更する視野角変更部３２（視野角制御手段）と、制御部１１から受信した種々のコンテンツに基づいて画像を表示する画像表示部３１（図２のメイン画面４に相当）とが備えられている。
【００７６】
記憶部１５は、外部情報受信部１８が受信したウェブコンテンツ（画像情報）を一旦記憶することができる。
【００７７】
外部情報受信部１８は、携帯電話機１の外部から各種の情報を受信するものであり、例えば、図１に示すように、プロバイダサーバー６１より送信されたウェブコンテンツを受信する。ここで、外部情報受信部１８が受信するウェブコンテンツには、視野角制御信号（コンテンツに関連付けられた視野角決定情報）が付加されている。なお、携帯電話機１はプロバイダサーバー６１からの情報の受信のみではなく、携帯電話機１からプロバイダサーバー６１へ情報を送信することも可能である。
【００７８】
制御部１１の内部には、画像関連情報取得部２１、画像表示制御部２２、および視野角制御部（視野角制御手段）２３が設けられている。
【００７９】
画像関連情報取得部２１は、外部情報受信部１８が受信したデータのうち画像表示に関する情報（コンテンツ）を取得する。画像表示制御部２２は、画像関連情報取得部２１が取得したコンテンツに基づいて、画像表示部３１に対して表示を行わせる。また、画像表示制御部２２は、一旦記憶部１５内に格納されたウェブコンテンツなどのコンテンツを表示させるように制御することもできる。この場合、記憶部１５内には、ウェブコンテンツとそのテキストファイルに付加された視野角制御信号とを関連付けて格納したテーブルが存在する。
【００８０】
さらに、視野角制御部２３の内部には、視野角制御信号抽出部２４、および視野角制御識別信号作成部２５が設けられている。
【００８１】
視野角制御信号抽出部２４は、送信されたウェブコンテンツなどの画像情報の中から視野角制御信号を抽出する。視野角制御信号とは、プロバイダサーバー６１から送信されたウェブコンテンツのＨＴＭＬテキストファイルに付加された、該ウェブコンテンツが表示されるときの視野角を制御するための信号である。
【００８２】
視野角制御識別信号作成部２５は、抽出された視野角制御信号に基づいて、対応するウェブコンテンツが表示されるときにメイン表示部１２の視野角を狭視野角またか広視野角といった目的とする状態に変更するための視野角制御データを作成する。この視野角制御データに基づいて、視野角変更部３２が表示画像の視野角を変更する。
【００８３】
なお、視野角の状態（程度）は、実際の視野角の角度で表してもよいし、視野角が広い、狭い、中位といった視野角の程度で表してもよい。本実施形態では、視野角の状態は、視野角が広い広視野角と、視野角が該広視野角よりも狭い狭視野角で表している。
【００８４】
つまり、本実施の形態では、一定の角度の視野角で表示を行う広視野角モードと、該広視野角モードよりも狭い一定の角度の視野角で表示を行う狭視野角モードとの間で視野角の切替えを行うものを例に挙げて説明した。この場合、ウェブコンテンツに関連付けられた視野角決定情報には、広視野角モードおよび狭視野角モードの場合のそれぞれにおいて、視野角の大きさを所定の大きさとするような情報が含まれる。しかし、本発明はこれに限定されることはなく、コンテンツに付加された視野角決定情報が、コンテンツごとに様々な角度の視野角となるように視野角を決定する情報であってもよい。
【００８５】
また、画像表示制御部２２が、一旦記憶部１５内に格納されたウェブコンテンツなどのコンテンツを表示させる場合、記憶部１５に格納されたコンテンツおよびそれと関連付けられた視野角制御信号は、まず視野角制御部２３内の視野角制御信号抽出部２４に送信され、ここで視野角制御信号（視野角決定情報）の抽出が行われる。その後、コンテンツは画像表示制御部２２に送信され、視野角制御信号は視野角制御識別信号作成部２５へ送信される。
【００８６】
次に、上記構成の携帯電話機１における処理動作について図６に基づいて説明する。図６は、受信したウェブコンテンツに応じて視野角を変更するように制御部１１が制御する処理動作を示している。
【００８７】
図６に示されるように、まず、画像関連情報取得部２１が外部情報受信部１８においてウェブコンテンツを受信したか否かを確認する（ステップＳ１０（以下「Ｓ１０」と略称することがある。他のステップについても同様である。））。ここで、ウェブコンテンツの受信がない場合には（Ｓ１０にてＮＯ）、ステップＳ１０に戻って上記動作を繰り返す。
【００８８】
一方、ウェブコンテンツの受信があった場合には（Ｓ１０にてＹＥＳ）、画像関連情報取得部２１は、該ウェブコンテンツを取得し、画像表示制御部２２および視野角制御信号抽出部２４に送信する。視野角制御信号抽出部２４では、送信されたウェブコンテンツに付加された視野角制御信号を抽出する（Ｓ１１）。
【００８９】
なお、Ｓ１０において、受信したウェブコンテンツを一旦記憶部１５に格納することもできる。この場合には、記憶部１５に格納されたウェブコンテンツを取り出す際に、ステップＳ１１以降の処理動作が実行される。
【００９０】
視野角制御信号抽出部２４は、抽出した視野角制御信号を視野角制御識別信号作成部２５へ送信する。視野角制御識別信号作成部２５は、この視野角制御信号に基づいて画像表示部に表示される画像の視野角を狭視野角または広視野角とするための視野角制御データ（視野角制御信号または視野角制御識別信号）を作成する（Ｓ１２）。視野角変更部３２は、この視野角制御データに基づいて、画像表示部３１に表示されるウェブコンテンツが対応する視野角となるように、視野角を変更する（Ｓ１３）。
【００９１】
本実施の形態にかかる携帯電話機１は、受信されたウェブコンテンツに付加された視野角制御信号に基づいて、自動で視野角を制御することができる。つまり、ユーザの手を煩わせることなく表示される画像に応じた視野角を制御することができる。これにより、機密を保持するべきコンテンツの場合には予めプロバイダから送信されるウェブコンテンツに狭視野角とする視野角制御信号を付加しておくことで、ユーザが手動で狭視野角に設定し忘れた場合にも、自動的に狭視野角モードに設定することもできるため、情報の漏えいを防止することができる。
【００９２】
また、本実施の形態にかかる携帯電話機１は、例えば、ワンセグなどのデジタル放送による動画コンテンツを受信可能なものであってもよい。そしてこの場合、送信される動画コンテンツに視野角制御信号が付加されていてもよい。
【００９３】
図７には、携帯電話機がデジタル放送による動画コンテンツを受信する場合の構成例を示す。図７に示すように、携帯電話機１’は、デジタル放送の配信元である映像配信サーバー６２から配信された動画コンテンツ（コンテンツ）を外部情報受信部１８が受信する。そして、制御部１１内の映像情報取得部４１は、配信された動画コンテンツを取得する。映像情報取得部４１は、該動画コンテンツを画像表示制御部２２および視野角制御信号判別部４４に送信する。視野角制御信号判別部４４では、送信された動画コンテンツの中から視野角制御信号を判別し抽出する。
【００９４】
上記以外の視野角制御の処理動作については、図１に示す携帯電話機１と同じであるため、その説明を省略する。
【００９５】
なお、映像配信サーバー６２から送信される動画コンテンツは、ワンセグ（１セグメント放送）により送信されるもの限定されることなく、他の地上波デジタル放送、衛星放送、ケーブル放送などによって送信されるものであってもよい。この場合、表示装置には、各放送を受信するための受信機が必要となる。
【００９６】
さらに、本発明は上述した実施形態に限定されるものではなく、請求項に示した範囲で種々の変更が可能である。すなわち、請求項に示した範囲で適宜変更した技術的手段、あるいは、後述の他の実施の形態において説明した技術的手段を組み合わせて得られる実施形態についても本発明の技術的範囲に含まれる。
【００９７】
例えば、上記実施形態では、携帯電話機１に本発明を適用した場合について説明している。しかしながら、本発明はそれに留まるものではなく、視野角の制御機能を有する表示装置を有するものであれば、ＰＨＳ（Personal Handy-phone System）、ＰＤＡ、モバイルＰＣ（Personal Computer）、ポータブルＤＶＤ（Digital Versatile Disk）などの任意の携帯型表示装置に適用することができる。或いは、据置き型のディスプレイに適用してもよい。
【００９８】
また、上記実施形態では、視野角のモードが広視野角モードおよび狭視野角モードの２種類のみであるが、より多くの視野角のモードを設けることもできる。例えば、視野角が広くもなく狭くもない中位の視野角モードを設けても良い。この視野角モードは、ユーザを含む２・３人で表示画面を見る場合に好適である。
【００９９】
また、携帯電話機１の各ブロック、特に制御部１１は、ハードウェアロジックによって構成してもよいし、次のようにＣＰＵを用いてソフトウェアによって実現してもよい。
【０１００】
すなわち、携帯電話機１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【０１０１】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０２】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【０１０３】
〔実施の形態２〕
続いて、本発明の第２の実施形態について図８、９に基づいて説明する。本実施の形態の携帯電話機１０１は、上述の携帯電話機１と同様に、受信したウェブコンテンツに基づいて自動的に視野角モードの切替えを行うものであるが、携帯電話機１と異なる点は、受信したウェブコンテンツのうち暗号化されているものを機密性の高いコンテンツであると判断し、自動的に狭視野角モードに変更するという点である。
【０１０４】
図８には、本実施の形態にかかる携帯電話機１０１内の構成のうち、コンテンツに基づいて視野角を制御する動作に関わる構成の詳細を示している。また、図８では、携帯電話機１と、プロバイダサーバー６１（送信手段）とから構成される本発明の通信システムの一例も示している。なお、携帯電話機１０１において、図１に示す携帯電話機１と同じ機能ブロックについては、同じ名称、同じ番号を付すとともにその説明を省略する。
【０１０５】
図８に示すように、携帯電話機１０１は、視野角を制御する動作に関わる構成として、制御部１１、メイン表示部１２、記憶部１５、外部情報受信部１８（受信手段）を備えている。
【０１０６】
携帯電話機１０１においては、視野角制御部２３内に視野角制御信号抽出部２４の代わりに暗号情報識別部５４が設けられている点が、携帯電話機１とは異なる。暗号情報識別部５４は、送信されたウェブコンテンツなどのコンテンツがＳＳＬ（ｓｅｃｕｒｅ  ｓｏｃｋｅｔｓ  ｌａｙｅｒ）、ＩＰｓｅｃ（Security Architecture for Internet Protocol）、ＰＧＰ（Pretty Good Privacy）などの暗号化された情報であるか否かを識別する。そして、この識別結果を視野角制御識別信号作成部２５に送信する。視野角制御識別信号作成部２５は、この識別結果に基づいて、対応するウェブコンテンツが表示されるときにメイン表示部１２の視野角を狭視野角または広視野角に変更するための視野角制御データを作成する。この視野角制御データに基づいて、視野角変更部３２が表示画像の視野角を変更する。具体的には、コンテンツが暗号化されているという識別結果が得られた場合には、該当するコンテンツが表示されるときには狭視野角モードとなるような視野角制御データを作成する。一方、コンテンツが暗号化されていないという識別結果が得られた場合には、該当する画像情報が表示されるときには広視野角モードとなるような視野角制御データを作成する。
【０１０７】
通常、例えば、インターネットバンキングのページ；ネット証券のページ(特に株売買画面)；電子決済時のクレジットカード番号入力ページ；プレゼントまたはサンプル申し込み時の個人情報（住所、電話番号）入力ページなどの機密性の高い情報がインターネット配信される場合には、そのウェブコンテンツは、ＳＳＬ、ＩＰｓｅｃ、ＰＧＰなどによって暗号化されていることが多い。そこで、本実施の形態のように、これらの暗号化されたウェブコンテンツについては、視野角制御識別信号作成部２５において狭視野角となるような視野角制御データが作成されることによって、ユーザ自身が狭視野角に設定することなく、自動的に狭視野角とすることができる。これにより、機密を保持すべき必要性の高いウェブコンテンツに関しては、狭視野角モードで画像を表示させることによって、情報の漏えいを防止することができる。
【０１０８】
なお、ＩＰｓｅｃとはインターネットで暗号通信を行うための規格であり、ＩＰのパケットを暗号化して送受信することができる。現在インターネットで使われているＩＰｖ４ではオプションとして使用することができ、次世代のＩＰｖ６では標準で実装される。
【０１０９】
また、ＰＧＰは、暗号プログラムのひとつであり、コンピュータ上のファイルを他人に読まれないように暗号化することが可能である。ＰＧＰによれば、他人によるデータ改ざんを防ぐために、指定したデータ（ファイル、メールなど）に「電子署名」を行うことができる。
【０１１０】
本発明では、このＰＧＰを利用して「電子署名」が成されたファイルを開く際に狭視野角モードに切り替えるという制御を行うこともできる。つまり、暗号情報識別部５４が、ＰＧＰを利用して「電子署名」が成されたデータを識別した場合に、視野角制御識別信号作成部２５が、この識別結果に基づいて、対応するデータが表示されるときにメイン表示部１２の視野角を狭視野角に変更するための視野角制御データを作成すればよい。
【０１１１】
次に、上記構成の携帯電話機１０１における処理動作について図９に基づいて説明する。図９は、受信したウェブコンテンツの暗号化の有無に応じて視野角を変更するように制御部１１が制御する処理動作を示している。
【０１１２】
図９に示されるように、まず、画像関連情報取得部２１が外部情報受信部１８においてウェブコンテンツを受信したか否かを確認する（Ｓ２０）。ここで、ウェブコンテンツの受信がない場合には（Ｓ２０にてＮＯ）、ステップＳ２０に戻って上記動作を繰り返す。
【０１１３】
一方、ウェブコンテンツの受信があった場合には（Ｓ２０にてＹＥＳ）、画像関連情報取得部２１は、該ウェブコンテンツを取得し、画像表示制御部２２および暗号情報識別部５４に送信する。暗号情報識別部５４では、送信されたウェブコンテンツがＳＳＬ等で暗号化されているか否かを識別し、この識別結果を視野角制御識別信号作成部２５に送信する（Ｓ２１）。
【０１１４】
視野角制御識別信号作成部２５は、識別結果に基づいて、対応するウェブコンテンツが表示されるときにメイン表示部１２の視野角を狭視野角または広視野角に変更するための視野角制御データを作成する（Ｓ２２またはＳ２３）。具体的には、コンテンツが暗号化されているという識別結果が得られた場合（Ｓ２１においてＹＥＳ）には、該当するコンテンツが表示されるときには狭視野角モードとなるような視野角制御データ（視野角制御識別信号）を作成する（Ｓ２２）。一方、コンテンツが暗号化されていないという識別結果が得られた場合（Ｓ２１においてＮＯ）には、該当するコンテンツが表示されるときには広視野角モードとなるような視野角制御データ（視野角制御信号または視野角制御識別信号）を作成する（Ｓ２３）。
【０１１５】
その後、視野角変更部３２は、この視野角制御データに基づいて、表示画像の視野角を変更する（Ｓ２４）。
【０１１６】
なお、Ｓ２０において、受信したウェブコンテンツを一旦記憶部１５に格納することもできる。この場合には、記憶部に格納されたウェブコンテンツを取り出す際に、ステップＳ２１以降の処理動作が実行される。
【０１１７】
このように、本実施の形態においては、ウェブコンテンツが暗号化されているか否かに関する情報が視野角決定情報となる。そして、この視野角決定情報に基づいて、視野角制御識別信号作成部２５は、ウェブコンテンツが暗号化されている場合に、暗号化されていない場合に比べて視野角を狭くする。
【０１１８】
前述の実施の形態１では、ウェブコンテンツを送信するプロバイダ側において表示部の視野角を設定するための視野角制御信号を付加しておく必要がある。一方、本実施の形態２では、携帯電話機１０１において、受信したウェブコンテンツのうち暗号化されているものを機密性の高いコンテンツであると判断し、自動的に狭視野角モードに変更することができる。
【０１１９】
また、携帯電話機１と同様に、携帯電話機１０１の各ブロック（特に制御部１１）は、ハードウェアロジックによって構成してもよいし、上述したようにＣＰＵを用いてソフトウェアによって実現してもよい。
【０１２０】
さらに、本発明は上述した実施形態に限定されるものではなく、請求項に示した範囲で種々の変更が可能である。すなわち、請求項に示した範囲で適宜変更した技術的手段、あるいは、他の実施の形態において説明した技術的手段を組み合わせて得られる実施形態についても本発明の技術的範囲に含まれる。
【０１２１】
〔実施の形態３〕
続いて、本発明の第３の実施形態について図１０ないし１２に基づいて説明する。本実施の形態の携帯電話機２０１は、上述の携帯電話機１と同様に、画像の内容に基づいて自動的に視野角モードの切替えを行うものであるが、携帯電話機１と異なる点は、表示される画像がどのアプリケーションソフトを使用して表示されたものであるかという情報に基づいて、自動的に視野角を変更するという点である。なお、図１０には示していないが、携帯電話機２０１も上述の携帯電話機１と同様に外部情報受信部１８を有しており、受信したウェブコンテンツに基づいて自動的に視野角モードの切替えを行うこともできる。図１０に示す構成によって行われる視野角の制御は、例えば、携帯電話機２０１内で作成されたコンテンツに対して行われるものである。
【０１２２】
つまり、本実施の形態の携帯電話機２０１は、例えば、外部から受信した画像情報については、実施の形態１において説明したようなコンテンツに基づいて自動的に視野角の変更を行い、携帯電話機２０１内で作成された画像情報については、使用するアプリケーションごとに自動的に視野角の変更を行うことができる。
【０１２３】
図１０には、本実施の形態にかかる携帯電話機２０１内の構成のうち、コンテンツを表示するために使用されるアプリケーションソフトに基づいて視野角を制御する動作に関わる構成の詳細を示している。なお、携帯電話機２０１において、図１に示す携帯電話機１と同じ機能ブロックについては、同じ名称、同じ番号を付すとともにその説明を省略する。
【０１２４】
図１０に示すように、携帯電話機２０１は、視野角を制御する動作に関わる構成として、制御部１１、メイン表示部１２、記憶部１５を備えている。
【０１２５】
携帯電話機２０１においては、画像関連情報取得部２１の代わりにアプリケーション実行部８１が設けられている点、視野角制御信号抽出部２４の代わりに起動ソフト判別部８４が設けられている点、および、記憶部１５内に、起動ソフト・視野角対応テーブル８５が設けられている点が、携帯電話機１とは異なる。
【０１２６】
起動ソフト・視野角対応テーブル８５は、起動されるアプリケーションソフトと、その場合に設定すべき視野角の状態（第２の視野角決定情報）との対応関係を示すものである。図１１は、起動ソフト・視野角対応テーブル８５の一例を表形式で示している。図示の例では、起動ソフトが「ＷＯＲＤ」の場合に広視野角モード設定が対応付けられており、上記以外の起動ソフトの場合に狭視野角モード設定が対応付けられている。
【０１２７】
アプリケーション実行部８１は、アプリケーションソフト格納部１６（図５参照）に格納された種々のアプリケーションソフトに基づいて、種々のアプリケーションを実行する。そして、アプリケーションソフトを実行することによって生成されたコンテンツを画像表示制御部２２および起動ソフト判別部８４へ送信する。
【０１２８】
起動ソフト判別部８４は、送信されたコンテンツがどのアプリケーションソフトに基づく情報であるかを判別する。そして、この判別結果をもとに記憶部１５内の起動ソフト・視野角対応テーブル８５から起動ソフトに対応する視野角を検索する。検索された視野角は、視野角制御識別信号作成部２５に送信される。視野角制御識別信号作成部２５は、メイン表示部１２の視野角を検索された視野角に変更するための視野角制御データを作成する。
【０１２９】
次に、上記構成の携帯電話機２０１における処理動作について図１２に基づいて説明する。図１２は、起動したアプリケーションに応じて表示画像の視野角を変更するように制御部１１が制御する処理動作を示している。
【０１３０】
図１２に示されるように、まず、アプリケーション実行部８１においてアプリケーションソフトが起動されたかを確認する（Ｓ３０）。ここで、アプリケーションソフトが起動されていない場合には（Ｓ３０にてＮＯ）、ステップＳ３０に戻って上記動作を繰り返す。
【０１３１】
一方、アプリケーションソフトが起動された場合には（Ｓ３０にてＹＥＳ）、アプリケーション実行部８１は、アプリケーションソフトを実行することによって生成されたコンテンツを画像表示制御部２２および起動ソフト判別部８４へ送信する。起動ソフト判別部８４では、送信されたコンテンツがどのアプリケーションソフトに基づく情報であるかを判別する。そして、この判別結果をもとに記憶部１５内の起動ソフト・視野角対応テーブル８５から起動ソフトに対応する視野角を検索する（Ｓ３１）。
【０１３２】
この検索結果は、視野角制御識別信号作成部２５へ送信される。視野角制御識別信号作成部２５では、画像表示部３１に表示される画像の視野角を検索された視野角とするための視野角制御データ（視野角制御信号または視野角制御識別信号）を作成する（Ｓ３２）。視野角変更部３２は、この視野角制御データに基づいて、画像表示部３１に表示されるコンテンツが対応する視野角となるように、視野角を変更する（Ｓ３３）。
【０１３３】
本実施の形態にかかる携帯電話機２０１によれば、受信したウェブコンテンツに付加された視野角決定情報に基づいて自動的に視野角の変更を行うことができるとともに、アプリケーションソフトごとに決められた第２の視野角決定情報に基づいて自動的に視野角の変更を行うことができる。
【０１３４】
携帯電話機２０１の各ブロック（特に制御部１１）は、携帯電話機１と同様に、ハードウェアロジックによって構成してもよいし、上述したようにＣＰＵを用いてソフトウェアによって実現してもよい。
【０１３５】
なお、本発明は上述した実施形態に限定されるものではなく、請求項に示した範囲で種々の変更が可能である。すなわち、請求項に示した範囲で適宜変更した技術的手段、あるいは、他の実施の形態において説明した技術的手段を組み合わせて得られる実施形態についても本発明の技術的範囲に含まれる。
【産業上の利用可能性】
【０１３６】
以上のように、本発明は、コンテンツに関連付けられた視野角決定情報に基づいて視野角を変更するので、コンテンツを表示する種々の表示装置に適用することができる。特に、本発明は、表示されるコンテンツが機密性の高い情報を含む場合に好適に利用できる。
【図面の簡単な説明】
【０１３７】
【図１】本発明の第１の実施形態である携帯電話機の要部の構成を示すブロック図である。また、図１では、本発明の通信システムの一実施形態も示す。
【図２】上記携帯電話機を開いた状態での外観を示す図であり、同図（ａ）は正面図であり、同図（ｂ）は背面図である。
【図３】視野角が広視野角モードに設定されているときに、上記携帯電話機を正面あるいは斜め方向から視認される表示画面を示す図である。
【図４】視野角が狭視野角モードに設定されているときに、上記携帯電話機を正面あるいは斜め方向から視認される表示画面を示す図である。
【図５】上記形態電話機の全体の構成を示すブロック図である。
【図６】上記携帯電話機の制御部にて実行される視野角の制御処理の流れを示すフローチャートである。
【図７】本発明の第１の実施形態である携帯電話機の他の例の要部構成を示すブロック図である。
【図８】本発明の第２の実施形態である携帯電話機の要部の構成を示すブロック図である。また、図８では、本発明の通信システムの一実施形態も示す。
【図９】図８に示す携帯電話機の制御部にて実行される視野角の制御処理の流れを示すフローチャートである。
【図１０】本発明の第３の実施形態である携帯電話機の要部の構成を示すブロック図である。
【図１１】図９に示す携帯電話機の記憶部に記憶される対応テーブルの一例を表形式で示す図である。
【図１２】図１０に示す携帯電話機の制御部にて実行される視野角の制御処理の流れを示すフローチャートである。
【符号の説明】
【０１３８】
１    携帯電話機（表示装置）
１’  携帯電話機（表示装置）
１０１    携帯電話機（表示装置）
２０１    携帯電話機（表示装置）
１１    制御部（表示コントローラ、制御回路）
１２    メイン表示部（表示手段）
１８    外部情報受信部（受信手段）
２２    画像表示制御部
２３    視野角制御部（視野角制御手段）
２５    視野角制御識別信号作成部（視野角制御手段）
３１    画像表示部（表示手段）
３２    視野角変更部（視野角制御手段）
６１    プロバイダサーバー（送信手段）
６２    映像配信サーバー（送信手段）
【図１】
2008052058.tif 000003
【図２】
2008052058.tif 000004
【図３】
2008052058.tif 000005
【図４】
2008052058.tif 000006
【図５】
2008052058.tif 000007
【図６】
2008052058.tif 000008
【図７】
2008052058.tif 000009
【図８】
2008052058.tif 000010
【図９】
2008052058.tif 000011
【図１０】
2008052058.tif 000012
【図１１】
2008052058.tif 000013
【図１２】
2008052058.tif 000014